(57)【要約】【課題】本発明は、構造がシンプルで製造コストが安く、かつ、使用する毎に使い捨てが可能であって、静電気による粉塵吸着作用によりネイルダストが除去できるネイルダスト飛散防止ケープを提供するものである。【解決手段】本発明に係るネイルダスト飛散防止ケープＡは、易帯電性樹脂からなるシートＡ’よりなり、当該シートＡ’に手首出し入れ用穴部Ａ１，Ａ２を有することを特徴とするものである。【選択図】        図１
2018121963.tif 000002
【特許請求の範囲】
【請求項１】
易帯電性樹脂からなるシートよりなり、
当該シートに手首出し入れ用穴部を有する
ことを特徴とするネイルダスト飛散防止ケープ。
【請求項２】
前記手首出し入れ用穴部が、左手用穴部と右手用穴部とからなる
ことを特徴とする請求項１に記載のネイルダスト飛散防止ケープ。
【請求項３】
前記シートが、厚さ０．００５ｍｍ〜０．０２ｍｍである
ことを特徴とする請求項１又は２に記載のネイルダスト飛散防止ケープ。
【請求項４】
当該シートが、被施術者の上半身前身頃を覆う大きさである
ことを特徴とする請求項１〜３のいずれか１項に記載のネイルダスト飛散防止ケープ。
【請求項５】
前記シートが、矩形である
ことを特徴とする請求項１〜４のいずれか１項に記載のネイルダスト飛散防止ケープ。
【請求項６】
前記シートの端部側に結着紐を有する
ことを特徴とする請求項１〜５のいずれか１項に記載のネイルダスト飛散防止ケープ。
【請求項７】
前記シートの上部端縁に首回り用切り欠き部を有し、
当該首回り用切り欠き部の下方に前記手首出し入れ用穴部を有する
ことを特徴とする請求項１〜６のいずれか１項に記載のネイルダスト飛散防止ケープ。
【請求項８】
前記首回り用切り欠き部に、当該首回り用切り欠き部を閉じる閉じ紐を有する
ことを特徴とする請求項７に記載のネイルダスト飛散防止ケープ。
【請求項９】
前記手首出し入れ用穴部が切れ目である
ことを特徴とする請求項１〜８のいずれか１項に記載のネイルダスト飛散防止ケープ。
【請求項１０】
前記シートが、ミシン目により切断可能な長尺シートから構成されている
ことを特徴とする請求項１〜９のいずれか１項に記載のネイルダスト飛散防止ケープ。
【発明の詳細な説明】
【技術分野】
【０００１】
本発明は、ネイルダスト飛散防止ケープに関する。
【背景技術】
【０００２】
従来よりネイルサロン等において研磨装置を使用しての人工爪研磨施術が行われている。この研磨施術の際に人工爪の粉塵、いわゆるネイルダストが発生する。このネイルダストは、施術者や被施術者が吸引するおそれがあるため施術者や被施術者はマスクの装着を余儀なくされていた。また、ネイルダストが周囲に飛散して被施術者の衣服に付着したり施術場の周囲を汚損し、さらに空中に舞い上がって施術場の隅々を汚損していたので、このような問題を解消するために下記特許文献に示される技術が提案されている。
【０００３】
特許文献１には、筐体の上面に加工作業面を兼ねる吸引口を開口させ、吸引口の下方の筐体内に電動モータで回転駆動される吸引用ファンを設け、吸引用ファンの駆動により吸引口から吸引した塵埃等を捕捉手段により捕捉するとともに、塵埃等が捕捉された排気を排気口から外部に放出するように構成することにより、作業終了後の清掃作業を不要とし、ネイルアートのように揮発性溶剤を使用するもので揮発性溶剤を吸引することがなく、健康並びに衛生上に優れた作業台が開示されている。
【０００４】
特許文献２には、爪研磨用箱型器具の施術者側側面には右用施術者側孔部、左用施術者側孔部が、施術者側側面に対面する被施術者側側面には、右用施術者側孔部，左用施術者側孔部がそれぞれ形成され、上面は、透明なアクリル板により構成され、施術者側側面に向かって左側のフィルタ側側面にはフィルタが設けられていると共に、フィルタ側側面に対面するファン側側面の上方には、フィルタの中央に向けて風圧を生成するファンが設けられた箱型器具により、爪の研磨により生じる粉塵が空気中に飛散してしまうことを防ぐことができる爪研磨のための箱型器具が開示されている。
【０００５】
特許文献３には、矩形の上面板とこの上面板の四辺から下方に延伸する正面板、背面板、右側面板及び左側面板とを備え、上記上面板、正面板、背面板、右側面板及び左側面板が隣接する板と側辺を共有し、かつ透明であるネイルダスト飛散防止カバーであって、上記正面板に第１開口を有し、上記左側面板と背面板との共通辺を含む位置、又は上記右側面板と背面板との共通辺を含む位置のいずれか一方に第２開口を有し、上記左側面板と背面板との共通辺を含む位置、又は上記右側面板と背面板との共通辺を含む位置の他方に第３開口を有し、上記第１開口、第２開口及び第３開口が正面板、背面板、右側面板又は左側面板の下辺まで連通し、上記第２開口が上記第３開口より大きくしたことにより、ネイルダストの飛散防止効果と作業性とを両立できるネイルダスト飛散防止カバーが開示されている。
【先行技術文献】
【特許文献】
【０００６】
【特許文献１】特開２００６−３４６６１号公報
【特許文献２】特開２０１１−４１６５３号公報
【特許文献３】特開２０１６−１８９９４８号公報
【発明の概要】
【発明が解決しようとする課題】
【０００７】
しかしながら、上記特許文献１及び２は、動力ファンを使用する装置であってコストが高く、装置自体のメンテナンスや清掃等が必要であって面倒であり、また、特許文献２及び３は箱形器具の内部に被施術者及び施術者の手を入れて研磨施術するものであって、施術がやりにくいという欠点があり、箱形器具の手の出し入れ口から外部へネイルダストが飛散するおそれがあった。
【０００８】
また、これらの飛散防止器具は１人分の施術が終わる毎に清掃を余儀なくされ、清潔さを維持しにくいものであった。
【０００９】
そこで、本発明者は鋭意研究を重ね、構造がシンプルで製造コストが安く、かつ、使用する毎に使い捨てが可能であって、静電気による粉塵吸着作用によりネイルダストが除去できるネイルダスト飛散防止ケープを開発した。
【課題を解決するための手段】
【００１０】
本発明に係る第１のネイルダスト飛散防止ケープ（以下、単に「ケープ」という。）は、易帯電性樹脂からなるシートよりなり、当該シートに手首出し入れ用穴部を有することを特徴とする。また、本発明に係る第２のケープは、前記の構成に加えて、前記手首出し入れ用穴部が、左手用穴部と右手用穴部とからなることを特徴とする。
【００１１】
上記のように構成したことにより、被施術者の左右の手を手首出し入れ用穴部からケープの外側に出した状態で研磨施術を行えば、研磨施術の際に発生するネイルダストがケープに吸着されて周囲に飛散するのを防止できる。
【００１２】
本発明に係る第３のケープは、上記の各構成に加えて、前記シートが、厚さ０．００５ｍｍ〜０．０２ｍｍであることを特徴とする。
【００１３】
上記のように構成したことにより、ケープ全体が軽量であるため、これを装着することに対して被施術者に負担をかけず、また、材料が少ないのでコストを安くすることができる。
【００１４】
本発明に係る第４のケープは、上記の各構成に加えて、当該シートが、被施術者の上半身前身頃を覆う大きさであることを特徴とする。
【００１５】
上記のように構成したことにより、被施術者の衣服にネイルダストが付着するおそれがなくなる。
【００１６】
本発明に係る第５のケープは、上記の各構成に加えて、前記シートが、矩形であることを特徴とする。
【００１７】
上記のように構成したことにより、製造がし易く、従って製造コストを安価にできる。
【００１８】
本発明に係る第６のケープは、上記の構成に加えて、前記シートの端部側に結着紐を有することを特徴とする。本発明に係る第７のケープは、上記の各構成に加えて、前記シートの上部端縁に首回り用切り欠き部を有し、当該首回り用切り欠き部の下方に前記手首出し入れ用穴部を有することを特徴とする。また、本発明に係る第８のケープは、前記の構成に加えて、前記首回り用切り欠き部に、当該首回り用切り欠き部を閉じる閉じ紐を有することを特徴とする。
【００１９】
上記のように構成したことにより、被施術者への装着が容易になる。
【００２０】
本発明に係る第９のケープは、上記の各構成に加えて、前記手首出し入れ用穴部が切れ目であることを特徴とする。
【００２１】
上記のように構成したことにより、手首出し入れ用穴部を形成することが容易となり、また、手首出し入れ用穴部から被施術者が手を突き出した場合に手首出し入れ用穴部の周縁部が手首へ密着するので、ダストネイルが手首出し入れ用穴部から被施術者の腕側に進入するおそれがない。
【００２２】
本発明に係る第１０のケープは、上記の各構成に加えて、前記シートが、ミシン目により切断可能な長尺シートから構成されていることを特徴とする。
【００２３】
上記のように構成したことにより、施術者は施術する準備として長尺シートからミシン目に沿ってシートを切断するだけでケープが得られるので、迅速で簡単に研磨施術を行うことができる。
【発明の効果】
【００２４】
以上のように、本発明に係るネイルダスト飛散防止ケープは、構造がシンプルで製造コストが安く、かつ、使用する毎に使い捨てが可能であって、静電気による粉塵吸着作用によりネイルダストが除去できるものである。
【図面の簡単な説明】
【００２５】
【図１】本発明の実施例１に係るケープの正面図である。
【図２】本発明の実施例１に係るケープを被施術者が装着してケープから手を出している状態を示す概略斜視図である。
【図３】本発明の実施例１に係るケープを被施術者が装着してケープから手を出している状態を示す側面図である。
【図４】本発明の実施例２に係るケープの正面図である。
【図５】本発明の実施例３に係るケープの正面図である。
【図６】本発明の実施例４に係るケープの正面図である。
【発明を実施するための形態】
【００２６】
以下、本発明に係るケープの好適な実施例を図面に基づいて説明する。
【実施例１】
【００２７】
図１は本発明の実施例１に係るケープＡを示し、当該ケープＡは、ネイルサロン等において研磨装置を使用しての人工爪研磨施術を行う際に、ネイルダストの飛散を防止するために被施術者が装着するものである。
【００２８】
当該ケープＡは、矩形に裁断された厚さ０．０１ｍｍのポリエチレンのシートＡ’から構成される。シートＡ’の大きさは、上端の左右を被施術者の首回りの後ろ側で結びつけることができ、下部が被施術者の上半身前身頃を覆う大きさに設計されている。
【００２９】
なお、シートＡ’の形状及び大きさは矩形に限られるものではなく、被施術者の上半身前身頃を覆うことができる形状であればよい。また、シートＡ’の厚さはこれら限られるものではなく、０．００５ｍｍ〜０．０２ｍｍの範囲であればよく、０．００５ｍｍより薄いと破断するおそれがあって取り扱いに注意を要し、０．０２ｍｍより厚いとコスト高になる。シートＡ’の材質はポリエチレンに限られるものではなく、ポリオレフィン、ポリ塩化ビニル、ポリスチレンなどの重合形合成樹脂、電気絶縁性の大きい合成樹脂、耐水性又は撥水性の合成樹脂等の易帯電性の合成樹脂が本発明のケープの材質として採用できる。
【００３０】
シートＡ’には、その上下方向の中央やや下方に、手首出し入れ用穴部Ａ１，Ａ２が形成されており、この手首出し入れ用穴部Ａ１，Ａ２を有することにより本実施例のケープＡが完成する。手首出し入れ用穴部Ａ１，Ａ２は、その一方が左手用穴部Ａ１であり、他方が右手用穴部Ａ２である。手首出し入れ用穴部Ａ１，Ａ２は、切断刃により切断した切れ目で形成される。なお、手首出し入れ用穴部を１つだけ形成して１つの穴から左右の手を出し入れするようにしてもよく、また、１つの穴で左右兼用としてもよい。また、シートＡ’における手首出し入れ用穴部Ａ１，Ａ２の上部側に結着紐を設け、被施術者にケープＡを装着する際に、この結着紐により被施術者の首回りの後ろ側で結びつけるようにしてもよい。
【００３１】
上記のように構成した実施例１のケープＡは、これを構成するシートＡ’が易帯電性の合成樹脂により形成されているので、図２及び図３に示すように、被施術者の左右の手を手首出し入れ用穴部Ａ１，Ａ２からケープＡの外側に出した状態で研磨施術を行えば、シートＡ’が有する静電気による粉塵吸着作用により、研磨施術の際に発生するネイルダストがケープＡに吸着されて周囲に飛散するのを防止できる。
【００３２】
また、ケープＡを構成するシートＡ’が、その厚さが０．０１ｍｍの薄いシートであるため、ケープＡの全体が軽量であり、ケープＡを装着することに対して被施術者に負担をかけず、また、材料が少ないので製造コストを安くすることができる。
【００３３】
さらに、ケープＡは、被施術者の上半身前身頃を覆う大きさであるため、被施術者の衣服にネイルダストが付着するおそれがない。
【００３４】
さらにまた、ケープＡは、これを構成するシートＡ’が矩形であるため、製造がし易いがために製造コストを安価にできる。しかも、シートＡ’と同素材の長尺シートにシートＡ’の上下方向又は左右方向の間隔毎にミシン目を入れると共に手首出し入れ用穴部Ａ１，Ａ２を形成しておけば、このミシン目に沿って図１に示すケープＡを切断して使用するようにすれば、迅速で簡単に研磨施術を行うことができる。
【００３５】
また、ケープＡは、手首出し入れ用穴部Ａ１，Ａ２が切れ目であるため、手首出し入れ用穴部Ａ１，Ａ２が容易に形成でき、かつ、手首出し入れ用穴部Ａ１，Ａ２から被施術者が手を突き出した場合に、手首出し入れ用穴部Ａ１，Ａ２の周縁部が手首へ密着するので、ダストネイルが手首出し入れ用穴部Ａ１，Ａ２から被施術者の腕側に進入するおそれがない。
【００３６】
以上のように、実施例１に係るケープＡは、構造がシンプルで製造コストが安く、かつ、使用する毎に使い捨てが可能であって、静電気による粉塵吸着作用によりネイルダストが除去できので、ネイルダストが飛散するのを防止することができる。
【実施例２】
【００３７】
図４は本発明の実施例２に係るケープＢを示し、当該ケープＢは実施例１のケープＡにおける手首出し入れ用穴部Ａ１，Ａ２を手首出し入れ用穴部Ｂ１，Ｂ２に変更したのみであり、その余の構成は実施例１と同様であるので、実施例１の説明を実施例２に援用する。
【００３８】
実施例１の手首出し入れ用穴部Ａ１，Ａ２は切れ目により構成したものであるが、実施例２の手首出し入れ用穴部Ｂ１，Ｂ２は楕円形の穴で構成したものである。
【００３９】
このように手首出し入れ用穴部Ｂ１，Ｂ２を楕円形の穴で構成すれば、手首出し入れ用穴部Ｂ１，Ｂ２が見付けやすく、かつ、ケープＢの上下左右が即座に判別することができる利点がある。
【実施例３】
【００４０】
図５は本発明の実施例３に係るケープＣを示し、当該ケープＣは実施例１のケープＡを以下のように変形したものであり、材質及び以下の変形した部分以外の構成は実施例１のケープＡと同様であるので、実施例１の説明を実施例３に援用する。
【００４１】
実施例３のケープＣは、矩形シートＣ’の上部端縁に半円状の首回り用切り欠き部Ｃ３を形成したものであり、首回り用切り欠き部Ｃ３の下方に実施例１の手首出し入れ用穴部Ａ１，Ａ２を形成したものである。
【００４２】
また、首回り用切り欠き部Ｃ３には、その首回り用切り欠き部Ｃ３の開口上端縁の左右それぞれに首回り用切り欠き部Ｃ３を閉じる閉じ紐Ｃ４，Ｃ５が設けられている。当該閉じ紐Ｃ４，Ｃ５は結着紐の役割を果たす。
【００４３】
このように構成したことにより、首回り用切り欠き部Ｃ３を被施術者の首回りの前側にあてがい、閉じ紐Ｃ４，Ｃ５を首回りの後ろ側で結べば、ケープＣを容易に被施術者へ装着することができる。また、ケープＣの上下左右が即座に判別できる利点がある。
【実施例４】
【００４４】
図６は本発明の実施例４に係るケープＤを示し、当該ケープＤは実施例１のケープＡを以下のように変形したものであり、材質及び以下の変形した部分以外の構成は実施例１のケープＡと同様であるので、実施例１の説明を実施例３に援用する。
【００４５】
実施例４に係るケープＤは、実施例１に係るシートＡ’の上部を延長したシートＤ’を使用したものであり、その延長した長さ分だけシートＤ’の上端から深く切り欠くことにより、実施例３の首回り用切り欠き部Ｃ３よりも深い位置に首回り用切り欠き部Ｄ３が形成されている。
【００４６】
当該延長部Ｄ６，Ｄ７は、被施術者の両肩から背部側を覆うものであり、これにより被施術者の衣服にネイルダストが付着するおそれがさらになくなる。
【００４７】
また、首回り用切り欠き部Ｄ３の左右両側に、首回り用切り欠き部Ｄ３を閉じる閉じ紐Ｄ４，Ｄ５が設けられている。閉じ紐Ｄ４，Ｄ５は当該シートＤ’を、その端縁から適当長さまで切り込むことにより形成される。図中のＤ４’，Ｄ５’は切り込み個所を表す。当該閉じ紐Ｄ４，Ｄ５は結着紐の役割を果たす。
【００４８】
このように構成したことにより、首回り用切り欠き部Ｄ３を被施術者の首回りの前側にあてがい、当該延長部Ｄ６，Ｄ７を被施術者の肩から背部側へ垂らして、閉じ紐Ｄ４，Ｄ５を首回りの後ろ側で結べば、ケープＤを容易に被施術者へ装着することができる。また、ケープＤの上下左右が即座に判別できる利点がある。
【００４９】
なお、本発明のいくつかの実施形態を説明したが、これら実施形態は、例として提示したものであり、発明の範囲を限定することは意図していない。これら実施形態は、その他の様々な形態で実施されることが可能であり、発明の要旨を逸脱しない範囲で、種々の省略、置き換え、変更を行うことができる。これら実施形態やその変形は、発明の範囲や要旨に含まれると同様に、特許請求の範囲に記載された発明とその均等の範囲に含まれるものである。
【符号の説明】
【００５０】
Ａ・・・・ケープ
Ａ’・・・シート
Ａ１・・・手首出し入れ用穴部
Ａ２・・・手首出し入れ用穴部
Ｂ・・・・ケープ
Ｂ１・・・手首出し入れ用穴部
Ｂ２・・・手首出し入れ用穴部
Ｃ・・・・ケープ
Ｃ’・・・シート
Ｃ３・・・首回り用切り欠き部
Ｃ４・・・閉じ紐（結着紐）
Ｃ５・・・閉じ紐（結着紐）
Ｄ・・・・ケープ
Ｄ’・・・シート
Ｄ３・・・首回り用切り欠き部
Ｄ４・・・閉じ紐（結着紐）
Ｄ４’・・切り込み個所
Ｄ５・・・閉じ紐（結着紐）
Ｄ５’・・切り込み個所
Ｄ６・・・延長部
Ｄ７・・・延長部
【図１】
2018121963.tif 000003
【図２】
2018121963.tif 000004
【図３】
2018121963.tif 000005
【図４】
2018121963.tif 000006
【図５】
2018121963.tif 000007
【図６】
2018121963.tif 000008